Podtech/llm-jp-corpus-v4-ja_patent huggingface dataset:
(57)【要約】      （修正有）【課題】飾り物として利用できるだけでなく、より多い付加価値が実現されるガラス容器構造を提供する。【解決手段】ガラス容器は、底部に、平面が形成され、上記平面により、ガラス容器が安定的に設置され、また、上部から一側にかけて、開口が形成され、そして、上部のもう一側に、上へ伸ばす立て柱が嵌設され、上記立て柱の自由端が、螺旋状のリングからなる。机面に飾ったり吊り下げ装飾品として利用でき、またガラス容器内に収納される品物により異なる雰囲気を作ることができる。【選択図】図１
0003150522.tif 000002
【実用新案登録請求の範囲】
【請求項１】
底部に、平面が形成され、上記平面により、ガラス容器が安定的に設置され、また、上部から一側にかけて、開口が形成され、そして、上部のもう一側に、上へ伸ばす立て柱が嵌設され、上記立て柱の自由端が、螺旋状のリングからなる、ことを特徴とするガラス容器構造。
【請求項２】
開口を形成することにより、蝋燭や装飾品等が収納されることができることを特徴とする請求項１に記載のガラス容器構造。
【請求項３】
ガラス容器が、透明であることを特徴とする請求項１に記載のガラス容器構造。
【請求項４】
ガラス容器の色が、変化できることを特徴とする請求項１に記載のガラス容器構造。
【請求項５】
ガラス容器が、ボールやエンジェル状等の美観造型であることを特徴とする請求項１に記載のガラス容器構造。
【考案の詳細な説明】
【技術分野】
【０００１】
本考案は、飾り物として利用できるガラス容器構造に関する。
【背景技術】
【０００２】
一般として、机は、上に飾り物が設置されることにより、鮮やかになるが、一般の飾り物は、変化なく単調の外観を有するため、雰囲気の作りに効果が限られ、そして、メーモスタンドや蝋燭台等を加えると、机の卓面が混雑になる。
【０００３】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００４】
本考案の主な目的は、机面の飾りや吊り下げ装飾品として利用でき、また、ガラス容器内に収納される品物により、異なる雰囲気を作ることができるガラス容器構造を提供する。
【０００５】
本考案の他の目的は、同時に、複数の付加価値が付加され、一つだけで、複数の機能が実現され、購入コストの節約ができるだけでなく、収納空間の節約も実現されるガラス容器構造を提供する
【課題を解決するための手段】
【０００６】
請求項１の考案は、底部に、平面が形成され、上記平面により、ガラス容器が安定的に設置され、また、上部から一側にかけて、開口が形成され、そして、上部のもう一側に、上へ伸ばす立て柱が嵌設され、上記立て柱の自由端が、螺旋状のリングからなる、ことを特徴とするガラス容器構造である。
【０００７】
請求項２の考案は、開口を形成することにより、蝋燭や装飾品等が収納されることができることを特徴とする請求項１に記載のガラス容器構造である。
【０００８】
請求項３の考案は、ガラス容器が、透明であることを特徴とする請求項１に記載のガラス容器構造である。
【０００９】
請求項４の考案は、ガラス容器の色が、変化できることを特徴とする請求項１に記載のガラス容器構造である。
【００１０】
請求項５の考案は、ガラス容器が、ボールやエンジェル状等の美観造型であることを特徴とする請求項１に記載のガラス容器構造である。
【図面の簡単な説明】
【００１１】
【図１】本考案の立体外観図
【図２】本考案の使用態様図
【図３】本考案の他の使用態様図
【図４】本考案の他の実施例図
【考案を実施するための最良の形態】
【００１２】
以下、図面を参照しながら、本考案の特徴や技術内容について、詳しく説明するが、それらの図面等は、参考や説明のためであり、本考案は、それによって制限されることが無い。
【００１３】
図１のように、ガラス容器１０は、底部に、平面１１が形成され、上記平面１１により、ガラス容器１０が安定的に設置され、また、上部から一側にかけて、開口１２が形成され、そして、上部のもう一側に、上へ伸ばす立て柱１３が嵌設され、上記立て柱１３の自由端が、螺旋状のリング１４からなる。
【００１４】
図２と図３のように、本考案によれば、ガラス容器１０は、平面１１により、机の上に設置され、その開口１２から、花草植物２０が植えられ、或いは、蝋燭３０が設置され、或いは、装飾品等が収納され、このように、異なる品物が収納され、また、ガラス容器１０の造型に合わせることにより、異なる雰囲気が創出され、また、ガラス容器１０は、立て柱１３が一体に結合されるため、リング１４に、メモ用紙４０や名刺及びメニュー等が挟まると、情報伝達の機能も実現され、上記ガラス容器１０により、飾り物として利用できるだけでなく、より多い付加価値が実現される。
【００１５】
また、ガラス容器１０に嵌設された立て柱１３のリング１４が、直接に紐で結ぶことやホックにより吊り下げて、また、花草植物２０や蝋燭３０で飾ることに合わせることにより、ガラス容器１０が、多様化に使用されることができ、また、立て柱１３の下端に、小飾り物が吊り下げられると、同一のガラス容器１０は、より多い付加価値が実現される。
【００１６】
また、ガラス容器１０は、ボール（図１乃至図３のように）だけでなく、例えば、エンジェル状（図４のように）等の美観な造型にすることができ、また、透明や色の変化により、多様化のガラス容器１０が実現される。
【００１７】
上記の具体的な実施例によれば、次の利点が得られ、その一は．そのガラス容器１０は、多様化に利用されることができ、また、ガラス容器１０内に設置されたものにより、異なる雰囲気が創出されて、一つのガラス容器１０は、より多い付加価値が実現され、その二は、そのガラス容器１０は、多種類の付加価値が実現されて、一つや少数のガラス容器１０により、上記空間の芸術雰囲気が創出され、また、收納する時、空間を占用しない効果が得られる。
【００１８】
そのため、本考案は、より進歩的かつより実用的で、法に従って実用新案登録請求を出願する。
【００１９】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【符号の説明】
【００２０】
１０  ガラス容器
１１  平面
１２  開口
１３  立て柱
１４  リング
２０  花草植物
３０  蝋燭
４０  メモ用紙
【図１】
0003150522.tif 000003
【図２】
0003150522.tif 000004
【図３】
0003150522.tif 000005
【図４】
0003150522.tif 000006
(57)【要約】      （修正有）【課題】刈払い機に取り付け、回転力により、除草する刈払い機用草取刃を提供する。【解決手段】円形の金属板からなる草取り刃の本体１の外周部に設けた刃の先端および一部を直角もしくは、直角近くに折り曲げて草取り刃２を構成し、刈払い機に取りつける。刈払い機により回転する力によって雑草が生えている表土を削り取ることにより、目的物である雑草を除去する。【選択図】図２
0003150517.tif 000002
【実用新案登録請求の範囲】
【請求項１】
刈払い機に取り付けて使用し、金属板の先端および一部を、
直角もしくは、直角近く立てた爪「刃」により、回転力で地表
を削り除草をする農具である。
【考案の詳細な説明】
【技術分野】
【０００１】
本考案は、 草払い機に取り付けた、「草取刃」に関するもので
ある。
【背景技術】
【０００２】
従来の刈払い機の刃は、平面刃であり切断を目的としている。
【考案の概要】
【考案が解決しようとする課題】
【０００３】
本考案は、平面の刃を直角に近く立て、回転力で地面を削る作用
により、凹凸の地表で対応しきれない「平面刃」の欠点を解決し
ようとするものである。
【課題を解決するための手段】
【０００４】
本考案は、回転する刃の一部分を立てたことにより、地表を削る
効果に優れ、凹凸の地表に生える雑草の除草作業に効果的である。
【考案の効果】
【０００５】
凹凸のある畝間の除草は、従来の平面刃では作物を切断する
危険性が大であり作業に極度の緊張感が必要であるが、刃を立てた
ことにより、作物に少々触れても切断するおそれは低い、それに加え、
構造も簡易、軽量、安価に作成できる。
【図面の簡単な説明】
【０００６】
【図１】本考案「草取り刃」を上面から見た全体図である。
【図２】側面から見た立て刃の状況である。
【考案を実施するための形態】
【０００７】
本草取刃を、刈払い機に取り付け、回転力を調整しながら除草
すべき地表を刃先で軽く押さえ、表面の土を削る事により草根と共
に除草する。
【実施例】
【０００８】
上述の様に、刈払い機に取り付け回転させ、その回転力により地表
を削る事により、目的物である雑草を省力、効率的に除去するもので
ある。
【符号の説明】
【０００９】
１  草取り刃の本体
２  特徴である立て刃（爪）
【図１】
0003150517.tif 000003
【図２】
0003150517.tif 000004
(57)【要約】      （修正有） 【課題】紙製三角ペースと薄厚の薄膜材にて形成した便器用尿飛散防止カバーを提供する。【解決手段】開閉便座の左右側部に貼着される基辺Ａ及び、この基辺と隣接する他方辺Ｂ並びに両辺に接する傾斜辺とで構成された紙製三角ベースＰと、この紙製三角ベースの他方片に該紙製三角ベースＰより薄厚の薄膜材にて形成されると共に、一定間隔でダーツ部Ｄを有する垂れ部Ｄａとで上記便器用尿飛散防止カバーを構成する。【選択図】図１
0003150595.tif 000002
【実用新案登録請求の範囲】
【請求項１】
開閉便座の左右側部に貼着される基辺及び、この基辺と隣接する他方辺並びに両辺に接する傾斜辺とで構成された紙製三角ベースと、この紙製三角ベースの他方片に該紙製三角ベースより薄厚の薄膜材にて形成されると共に、一定間隔でダーツ部を有する垂れ部とでなしたことを特徴とした便器用尿飛散防止カバー。
【請求項２】
前記薄膜材とカバー本体とを不織布としたことを特徴とした、請求項１記載の尿飛散防止カバー。
【考案の詳細な説明】
【技術分野】
【０００１】
紙製三角ペースと薄厚の薄膜材にて形成された、便器用尿飛散防止カバーの形状に関する。
【背景技術】
【０００２】
男性が便座を上げ使用する際、尿の飛散が床や壁にまで達していた。
【考案の開示】
【考案が解決しようとする課題】
【０００３】
従来の便座は座る事を目的につくられているので、特に男性の場合は尿の飛散の範囲が予想以上に広くその上、尿の臭いにも悩まされ掃除がたいへんである。又、女性が便座を使用する際、衣服が便器に触れると便器に男性の尿が付着しているので触れない様、努めなければならないので、とても不快感があった。そのような尿飛散や不快感を取り除き、掃除の手間をはぶく事を課題とする。
【課題を解決するための手段】
【０００４】
以上の課題を解決する為に開閉便座の左右側部に貼着される基辺及び、この基辺と隣接する他方辺並びに両辺に接する傾斜辺とで構成された紙製三角ベースと、この紙製三角ベースの他方片に該紙製三角ベースより薄厚の薄膜材にて形成されると共に、一定間隔でダーツ部を有する垂れ部とでなしたことを特徴とした便器用尿飛散防止カバーである。
【考案の効果】
【０００５】
尿飛散や尿の臭い又尿が衣服に付くのを防ぎ不快感も無く、掃除の簡素化にもつながる。
【考案を実施するための最良の形態】
【０００６】
この考案の一実施形態を図１、図２、図３、図４、図５に基づいて説明する。Ｔは便器、Ｓは便座、Ｓaは便座側部、Ｉはカバー本体である。
【実施例】
【０００７】
以下、本考案を実施例として掲げた図面に基づいて説明すると、図１は便器の便座に飛散防止カバーを取り付けた斜視図を示しており、便器本体Ｔには、開閉自在なる便座Ｓを有している。而してこの便座Ｓには尿飛散防止カバー本体Ｉが着脱自在に装着される。
【０００８】
具体的には、このカバー本体Ｉは開閉便座Ｓの左右側部Ｓａに貼着される基辺Ａ及び、この基辺Ａと隣接する他方辺Ｂ並びに両辺ＡＢに接する底辺とで構成され、紙製三角ベースＰと成している。この紙製三角ベースＰの他方片Ｂには該紙製三角ベースＰより薄厚の薄膜材にて形成されると共に、一定間隔でダーツ部Ｄを有する垂れ部Ｄａと小幅のダーツＢａとで成しいる。
【０００９】
図２は、便座Ｓを閉じた斜視図で尿の飛散を防止する防止カバーＩに付着した内側面Ｐａが内側になり、女性が便座Ｓを使用しても飛散した尿に触れないのである。
図３は、カバー本体の斜視図であり、図４は、前記ダーツＤの拡大図であって一枚の薄膜材を一定巾位置にて折り返して形成している。図５は、ダーツＤを一定巾にて寸断し、その寸断した寸断淵Ｄｂを列に重ねて熱溶着しており、いずれでもよい。
【図面の簡単な説明】
【００１０】
【図１】この考案の一実施形態を示す斜視図である(男性使用の場合)。
【図２】この考案の一実施形態を示す斜視図である(女性使用の場合)。
【図３】カバー本体の斜視図である。
【図４】ダーツ部の拡大断面図である。
【図５】ダーツ部の拡大断面図である。
【符号の説明】
【００１１】
Ａ    基辺
Ｂ    他方辺
Ｂａ  小幅のダーツ
Ｃ    底辺
Ｄ    ダーツ部
Ｄａ  ダーツ部垂れ部
Ｄｂ  ダーツ部寸断淵
Ｉ    カバー本体
Ｐ    紙製三角ベース
Ｐａ  紙製三角ベース垂れ部
Ｓ    便座
Ｓａ  便座側部
Ｔ    便器
【図１】
0003150595.tif 000003
【図２】
0003150595.tif 000004
【図３】
0003150595.tif 000005
【図４】
0003150595.tif 000006
【図５】
0003150595.tif 000007
(57)【要約】      （修正有）【課題】インスタントラーメン・インスタント味噌汁用として、保存用のネギを提供する。【解決手段】切ったネギを熱で溶けるゼラチンでコーティングして、腐敗を防止し、風味や歯ごたえを維持できるように構成する。【選択図】図３
0003150599.tif 000002
【実用新案登録請求の範囲】
【請求項１】
熱で溶けるゼラチンでコーティングしたカッティングされているネギ
【考案の詳細な説明】
【技術分野】
【０００１】  本考案は、切ってあるネギを熱で溶けるゼラチンでコーティングしているものである。
【背景技術】
【０００２】  インスタントラーメン・インスタント味噌汁や市販されている保存用のネギは、薄くかつ乾燥していてる。また、風味が薄い。
【考案の開示】
【考案が解決しようとする課題】
【０００３】  インスタントラーメン・インスタント味噌汁や市販されている保存用のネギは、薄く乾燥しているため歯ごたえがない。【０００４】  インスタントラーメン・インスタント味噌汁や市販されている保存用のネギは、風味が薄い。【０００５】  生のネギだと風味・腐敗などで保存が効かない。
【考案の効果】
【０００６】  ネギの歯ごたえが大分失われている。
【考案を実施するための最良の形態】
【０００７】  切ったネギをゼラチンでコーティングする。
【実施例】
【０００８】  ゼラチンでコーティングしたネギを、味噌汁・ラーメンなどに入れる。
【産業上の利用可能性】
【０００９】  本考案は、消費者のネギの利便性及び保存性が上がる食品加工に係る。
【図面の簡単な説明】
【００１０】
【図１】カットしたネギを一つをゼラチンでコーティングした図の拡大図
【図２】カットしたネギをまとめてコーティングした図
【図３】カットしたネギを多めのゼラチンでコーティングした図
【符号の説明】
【００１１】１  カットしたネギ
２  ゼラチン
【図１】
0003150599.tif 000003
【図２】
0003150599.tif 000004
【図３】
0003150599.tif 000005
(57)【要約】      （修正有）【課題】高齢者や耳の不自由な人が使いやすく、また、まわりが騒がしくても関係なく検温終了がわかる体温計を提供する。【解決手段】体温計本体１の後部に接続部分２、専用コード部分３，ＬＥＤランプ部分４を取り付け、ＬＥＤランプが光って検温終了を知らせる。接続部分２かＬＥＤランプ部分４の所にボタン型電池を埋め込み、電池が交換できるようにする。接続部分２を外せば、一般の体温計と同じになる。【選択図】図１
0003150594.tif 000002
【実用新案登録請求の範囲】
【請求項１】
体温計本体１の後部に接続部分２、専用コード部分３，ＬＥＤランプ部分４を取り付け、ＬＥＤランプが光って検温終了を知らせる。接続部分２かＬＥＤランプ部分４の所にボタン型電池を埋め込み、電池が交換できるようにする。接続部分２を外せば、一般の体温計と同じになる。専用コード部分３を無くして、ワイヤレスでＬＥＤランプが光って検温終了を知らせる場合もある。
【考案の詳細な説明】
【技術分野】
【０００１】  本考案は、体温計の検温終了を知らせる方法に関するものである。
【背景技術】
【０００２】  脇下で測る体温計は、デジタル体温計が主流であり、検温終了を小さな電子音（音の大きさは３７ｄＢ程度）で知らせている。
【考案の開示】
【考案が解決しようとする課題】
【０００３】  病気がちの高齢者にとって体温計を使うことは多く、その度に検温終了を知らせるピッピッという小さな電子音が聞こえないので苦労している。多くの人は、検温終了を知らせるピッピッという音を聞き逃さないために、じっと耳をそばだてておかなければならない。また、まわりが騒がしかったり、テレビをつけていたらよく聞き取れないこともある。高齢者や耳の不自由な人が使いやすく、また、まわりが騒がしくても関係なく使える体温計を作ろうと考えたものである。
【課題を解決するための手段】
【０００４】  本案は、体温計本体１の後部に接続部分２、専用コード部分３，ＬＥＤランプ部分４を取り付け、ＬＥＤランプが光って検温終了を知らせる。接続部分２かＬＥＤランプ部分４の所にボタン型電池を埋め込み、電池が交換できるようにする。接続部分２を外せば、一般の体温計と同じになる。
【考案の効果】
【０００５】  体温を測る時、ピッピッという小さな電子音を気にしなくてよい。まわりが騒がしくても測ることができる。高齢者や耳の不自由な人でも使用することができる。介護や看護師の人が他の仕事をしていたり、少し遠くにいても検温終了に気づくことができる。
【実施例】
【０００６】  体温計本体１に、接続部分２を取り付ける。普通の体温計と同じように、体温計本体１を脇にはさみ、専用コード部分３，ＬＥＤランプ部分４を服の外に出す。ＬＥＤランプ部分４は、見やすいテーブルの上に置いたり、手に持ったり、服の襟に取り付けたりして体温を測る。
【学校保健室での利用可能性】
【０００７】  学校保健室では、複数の生徒の体温を同時に測ることがあり、その時、どの生徒の体温計が鳴ったのかわからないことがある。本考案の体温計があれば、一目瞭然で検温終了がわかる。
【病院や介護施設での利用可能性】
【０００８】  病院の病室や介護施設では、体温計を使うことは多い。一人の職員で同時に多くの人の体温を測ることも可能となる。また、職員がつきっきりにならなくてもよく、少し離れた場所にいても、他の仕事をしながらでも測定が可能となる。
【図面の簡単な説明】
【０００９】
【図１】体温計本体１に、接続部分２、専用コード部分３、ＬＥＤランプ部分を取り付けた図である。
【図２】本考案の体温計を使用しているときのイメージ図である。
【図１】
0003150594.tif 000003
【図２】
0003150594.tif 000004
【手続補正書】
【提出日】平成21年2月20日(2009.2.20)
【手続補正１】
【補正対象書類名】実用新案登録請求の範囲
【補正対象項目名】請求項１
【補正方法】変更
【補正の内容】
【請求項１】
体温計本体１の後部に接続部分２、専用コード部分３，ＬＥＤランプ部分４を取り付け、ＬＥＤランプが光って検温終了を知らせ、接続部分２かＬＥＤランプ部分４の所にボタン型電池を埋め込み、電池が交換できるようにし、接続部分２を外せば、一般の体温計と同じになり、専用コード部分３を無くして、ワイヤレスでＬＥＤランプが光って検温終了を知らせることも可能な体温計。
(57)【要約】      （修正有）【課題】携帯電話器の使用中の脱落防止を図るフックを提供する。【解決手段】携帯電話器の裏側に指掛部を設置するものである。フックに指を絡ませて操作可能な為、ボタンキーのタッチもスムーズに行うことが出来る。フックの環に指を差し入れる事によって携帯電話器の安定が計られ、キーボタン類のタッチする親指は、より遠くに、スムーズに運ぶことができる。【選択図】図３
0003150592.tif 000002
【実用新案登録請求の範囲】
【請求項１】
本考案は、携帯電話器の裏側に設置する取り落とし防止具である。
【請求項２】
本考案は、指に絡ませて携帯電話器の安定を計るよう考案したものである。
【考案の詳細な説明】
【技術分野】
【０００１】本考案は、携帯電話器の使用中の脱落防止を計るものである。
【背景技術】
【０００２】携帯電話のデザインは、コンパクトな薄型指向の為、使用中の操作は必ずしも、問題が無いとは言い難い。
【考案の開示】
【考案が解決しようとする課題】
【０００３】携帯電話のタッチ操作は、片手持ち且つ、片手打ち操作である。
これが現代のファッションである。その為に、特に握力の弱い人など又、そうでない人でも脱落を経験するものである。
【課題を解決するための手段】
【０００４】本考案は、携帯電話器の裏側に指掛部を設置するものである。
【考案の効果】
【０００５】本考案は、フックに指を絡ませて操作可能な為、ボタンキーのタッチもスムーズに行うことが出来るのである。
【実施例】
【０００６】本考案の、フックの環に指を差し入れる事によって携帯電話器の安定が計られ、キーボタン類のタッチする親指は、より遠くに、スムーズに運ぶのである。
【図面の簡単な説明】
【０００７】
【図１】本考案のケイタイフックの折りたたんだ形、収納イラスト図である。
【図２】本考案の、ケイタイフックの使用される際の形状イラスト図である。
【図３】携帯電話器の裏側に、本考案のケイタイフックを付加、設置したイラスト図である。
【図１】
0003150592.tif 000003
【図２】
0003150592.tif 000004
【図３】
0003150592.tif 000005
【手続補正書】
【提出日】平成21年2月19日(2009.2.19)
【手続補正１】
【補正対象書類名】実用新案登録請求の範囲
【補正対象項目名】全文
【補正方法】変更
【補正の内容】
【実用新案登録請求の範囲】
【請求項１】
携帯電話器に取り付けて使用する携帯電話器の落下防止具であって携帯電話器の裏面側に設置して指を絡ませて携帯電話器をより掴み所を多く計った、指を絡ます環状の形状体を設けた一端に平板な台座部を設け、台座部を携帯電話器の裏面側に設置することを特長とする落下防止具。
(57)【要約】      （修正有）【課題】掃除をする時に除去することが出来なかったホコリを除去することができる掃除機を提供する。【解決手段】電気掃除機の排気口にホースを接続し、前記ホースにホコリ吹き飛ばしホースノズルを接続したことで、電気掃除機の排気吐出力に依るホコリを吹き飛ばすことができる。【選択図】図１
0003150598.tif 000002
【実用新案登録請求の範囲】
【請求項１】
電気掃除機の排気吐出力に依るホコリ吹き飛ばしホースノズルを有する電気掃除機
【考案の詳細な説明】
【技術分野】
【０００１】本考案は、掃除をする時にホコリ吹き飛ばしホースノズル付電気掃除機を用いてホコリを除去するものである。
【技術背景】
【０００２】従来は掃除をする時に棚の上や鴨居の上のホコリをハタキで叩きながら除去していたが、電気掃除機の排気吐出力に依るホコリ吹き飛ばしホースノズル付電気掃除機を用いてホコリを除去するものである。
【考案の開示】
【考案が解決しようとする課題】
【０００３】従来は掃除をする時に棚の上や鴨居の上のホコリをハタキで叩きながら除去していたが、本棚の奥や狭い隙間の隅のホコリを除去することが出来なかった。
【考案が解決するための手段】
【０００４】本考案は、従来は掃除をする時に棚の上や鴨居の上のホコリをハタキで叩きながら除去していたが、本棚の奥や狭い隙間の隅のホコリを除去することが出来なかった、この課題を解決するため、電気掃除機の排気吐出力に依るホコリ吹き飛ばしホースノズル付電気掃除機を用いてホコリを除去するものである。
【考案の効果】
【０００５】前述の様に、本考案の効果は、従来は掃除をする時に棚の上や鴨居の上のホコリをハタキで叩きながら除去していたが、本棚の奥や狭い隙間の隅のホコリを除去することが出来なかった、この課題を解決するため、電気掃除機の排気吐出力に依るホコリ吹き飛ばしホースノズル付電気掃除機を用いてホコリを除去する効果がある。
【考案の実施するための最良の形態】
【０００６】本考案は、本棚の奥や狭い隙間の隅のホコリを除去することが出来なかった、電気掃除機の排気吐出力に依るホコリ吹き飛ばしホースノズル付電気掃除機を用いてホコリを除去することが最良の形態である。
【実施例】
【０００７】以下、添付図面の説明をする。１は電気掃除機、２はホース、３はホコリ吹き飛ばしノズルである。
【図面の簡単な説明】
【０００８】
【図１】  電気掃除機の排気吐出力に依るホコリ吹き飛ばしホースノズルが付いた電気掃除機
【符号の説明】
【０００９】１    電気掃除機
２    ホース
３    ホコリ吹き飛ばしノズル
【図１】
0003150598.tif 000003
【手続補正書】
【提出日】平成21年2月24日(2009.2.24)
【手続補正１】
【補正対象書類名】実用新案登録請求の範囲
【補正対象項目名】全文
【補正方法】変更
【補正の内容】
【実用新案登録請求の範囲】
【請求項１】
電気掃除機の排気口にホースを接続し、前記ホースにホコリ吹き飛ばしホースノズルを接続したことで、電気掃除機の排気吐出力によってホコリ吹き飛ばしが可能な電気掃除機。
【手続補正２】
【補正対象書類名】明細書
【補正対象項目名】０００７
【補正方法】変更
【補正の内容】
【０００７】以下、添付図面の説明をする。１は電気掃除機、２はホース、３はホコリ吹き飛ばしノズル、４はＯリングである。
【手続補正３】
【補正対象書類名】明細書
【補正対象項目名】０００８
【補正方法】変更
【補正の内容】
【０００８】
【図１】電気掃除機の排気吐出力に依るホコリ吹き飛ばしホースノズルが付いた電気掃除機
【図２】電気掃除機とホースとの接続断面図
【手続補正４】
【補正対象書類名】明細書
【補正対象項目名】０００９
【補正方法】変更
【補正の内容】
【０００９】１    電気掃除機
２    ホース
３    ホコリ吹き飛ばしノズル
４    Ｏリング
【手続補正５】
【補正対象書類名】図面
【補正対象項目名】図２
【補正方法】追加
【補正の内容】
【図２】
0003150598.tif 000004
(57)【要約】      （修正有）【課題】弾性体にピンをはめこんだヘアブラシにおいて、ピンの先端部が頭皮に当たってマッサージ以外の効果を有するヘアブラシを提供する。【解決手段】頭皮をマッサージするヘアブラシのピンの側面に貫通孔をもち、ピンを薬液につけることにより貫通孔に薬液が保持され、手を汚さず、薬液を頭皮に塗布することができる。また薬液をつけない時も、髪の毛の中に空気を送りこみ、頭皮の水分を発散しやすくすることができる。【選択図】図１２
0003150597.tif 000002
【実用新案登録請求の範囲】
【請求項１】
弾性体にピンをはめこんで構成されるブラシで、ブラシのピンの側面に貫通孔をもつもの。
【考案の詳細な説明】
【技術分野】
【０００１】本考案は頭皮をマッサージするヘアブラシに関するものである。
【背景技術】
【０００２】従来の頭皮をマッサージするヘアブラシは［図１］の平面図および［図２］の側面図であらわされる、弾性体にピンをはめ込んで構成されるブラシがある。
【考案の開示】
【考案が解決しようとする課題】
【０００３】従来の頭皮をマッサージするブラシのピンは金属、合成樹脂、木、竹で一体でできており、［図３］が平面図で［図４］が側面図のようなかたちのもの、［図５］が平面図で［図６］が側面図のようなかたちのもの、［図７］が平面図で［図８］が側面図のようなかたちのもの、［図９］が平面図で［図１０］が側面図のようなかたちのものがあり、それを［図１１］のように弾性体にはめこんで［図１］［図２］のようにできている。このかたちでは先端部が頭皮にあたってマッサージするだけの効果しかもっていない。
【課題を解決するための手段】
【０００４】本考案は［図１２］が平面図で［図１３］が側面図であらわされるように、ピン側面に貫通孔があるブラシのピンを提供する。
【考案の効果】
【０００５】［図２２］は本考案で作ったブラシのピンであり、これを［図２３］の薬液の中に浸すことで、貫通孔に表面張力で薬液を［図２４］のように保持し、頭皮をマッサージするだけでなく、各種の薬液を頭皮や髪に塗布することができる。また薬液をつけない時も、従来のピンと違って髪の毛の中に空気を送りこみ、頭皮の水分を発散しやすくすることができる。
【実施例】
【０００６】［図１２］が平面図で［図１３］が側面図のもの、［図１４］が平面図で［図１５］が側面図のもの、［図１６］が平面図で［図１７］が側面図のもの、［図１８］が平面図で［図１９］が側面図のもの、［図２０］が平面図で［図２１］が側面図のもの、薬液の粘度、表面張力の違いによって、各種の貫通孔より、その薬液に適した貫通孔を作り出すことができる。
【産業上の利用可能性】
【０００７】育毛剤、トリートメント等を貫通孔に保持してブラシのピンが頭皮に達し、手を汚さずに効率よく薬液でマッサージすることができる。
【図面の簡単な説明】
【０００８】
【図１】従来の頭皮をマッサージするヘアブラシの平面図
【図２】従来の頭皮をマッサージするヘアブラシの側面図
【図３】従来の頭皮をマッサージするヘアブラシのピンの平面図
【図４】従来の頭皮をマッサージするヘアブラシのピンの側面図
【図５】従来の頭皮をマッサージするヘアブラシのピンの平面図
【図６】従来の頭皮をマッサージするヘアブラシのピンの側面図
【図７】従来の頭皮をマッサージするヘアブラシのピンの平面図
【図８】従来の頭皮をマッサージするヘアブラシのピンの側面図
【図９】従来の頭皮をマッサージするヘアブラシのピンの平面図
【図１０】従来の頭皮をマッサージするヘアブラシのピンの側面図
【図１１】従来の頭皮をマッサージするヘアブラシのピンを弾性体にはめこんだ図
【図１２】本考案の頭皮をマッサージするヘアブラシのピンの平面図
【図１３】本考案の頭皮をマッサージするヘアブラシのピンの側面図
【図１４】本考案の頭皮をマッサージするヘアブラシのピンの平面図
【図１５】本考案の頭皮をマッサージするヘアブラシのピンの側面図
【図１６】本考案の頭皮をマッサージするヘアブラシのピンの平面図
【図１７】本考案の頭皮をマッサージするヘアブラシのピンの側面図
【図１８】本考案の頭皮をマッサージするヘアブラシのピンの平面図
【図１９】本考案の頭皮をマッサージするヘアブラシのピンの側面図
【図２０】本考案の頭皮をマッサージするヘアブラシのピンの平面図
【図２１】本考案の頭皮をマッサージするヘアブラシのピンの側面図
【図２２】本考案の頭皮をマッサージするヘアブラシのピン
【図２３】薬液
【図２４】本考案の頭皮をマッサージするヘアブラシのピンが貫通孔部に薬液を保持している図
【図１】
0003150597.tif 000003
【図２】
0003150597.tif 000004
【図３】
0003150597.tif 000005
【図４】
0003150597.tif 000006
【図５】
0003150597.tif 000007
【図６】
0003150597.tif 000008
【図７】
0003150597.tif 000009
【図８】
0003150597.tif 000010
【図９】
0003150597.tif 000011
【図１０】
0003150597.tif 000012
【図１１】
0003150597.tif 000013
【図１２】
0003150597.tif 000014
【図１３】
0003150597.tif 000015
【図１４】
0003150597.tif 000016
【図１５】
0003150597.tif 000017
【図１６】
0003150597.tif 000018
【図１７】
0003150597.tif 000019
【図１８】
0003150597.tif 000020
【図１９】
0003150597.tif 000021
【図２０】
0003150597.tif 000022
【図２１】
0003150597.tif 000023
【図２２】
0003150597.tif 000024
【手続補正書】
【提出日】平成21年2月19日(2009.2.19)
【手続補正１】
【補正対象書類名】実用新案登録請求の範囲
【補正対象項目名】全文
【補正方法】変更
【補正の内容】
【実用新案登録請求の範囲】
【請求項１】
弾性体にピンをはめこんで構成されるブラシに使用する、側面に貫通孔をもつブラシ用のピン
【手続補正２】
【補正対象書類名】図面
【補正対象項目名】図２２
【補正方法】変更
【補正の内容】
【図２２】
0003150597.tif 000025
【手続補正３】
【補正対象書類名】図面
【補正対象項目名】図２３
【補正方法】変更
【補正の内容】
【図２３】
0003150597.tif 000026
【手続補正４】
【補正対象書類名】図面
【補正対象項目名】図２４
【補正方法】変更
【補正の内容】
【図２４】
0003150597.tif 000027
(57)【要約】      （修正有）【課題】香材の交換が早く出来て香炉の連続使用を可能にし、火傷の事故を減らす香炉を提供する。【解決手段】香炉本体１の内部に設けた発熱体２にアルミホィール等の使い捨て容器３に芳香材４を入れ、発熱体２に装着する。お茶等の芳香材を、冷めやすく暖まりやすいアルミカップ等の使い捨て可能な容器に入れ、発熱体に直接その容器を装着する。交換用の芳香材を使い捨て可能な容器に前もって数個準備すれば芳香効果が弱くなった香材を新しい香材に連続交換することで常に快適な空間が実現出来る。【選択図】図１
0003150579.tif 000002
【実用新案登録請求の範囲】
【請求項１】
香炉の発熱体又は熱発散体に、使い捨て可能なアルミカップ等の容器を装着することを特徴とする香炉。
【考案の詳細な説明】
【技術分野】
【０００１】本考案は、芳香材を入れる部位を、使い捨て可能なアルミカップ等の容器にすることを特徴とする香炉に関する物である。
【背景技術】
【０００２】お茶などの芳香材の収納部が、暖まるまでと冷めるまでの時間がかかり芳香剤の交換と芳香の発散するまでに時間がかかった。
【考案の開示】
【考案が解決しようとする課題】
【０００３】従来、芳香材を入れる容器は陶器、金属などの材質上冷めにくく暖まりにくい容器を使用していたため容器を冷まし、暖まるまで一定時間を要し連続使用には不向きであった、ことの欠点を解決しようとするものである。
【課題を解決するための手段】
【０００４】香炉の芳香材を入れる部位をアルミカップ等の使い捨て可能な容器にすること。
【考案の効果】
【０００５】冷めやすく、暖まりやすいアルミカッブ等の使い捨て可能な容器を使用することにより芳香材の交換が早く出来て香炉の連続使用を可能にし、火傷の事故を減らすことになる。
【考案の実施するための最良の形態】
【０００６】お茶等の芳香材を、冷めやすく暖まりやすいアルミカップ等の使い捨て可能な容器に入れ、発熱体に直接その容器を装着する。交換用の芳香材を使い捨て可能な容器に前もって数個準備すれば芳香効果が弱くなった香材を新しい香材に連続交換することで常に快適な空間が実現出来る。
【図面の簡単な説明】
【０００７】
【図１】  本考案の使い捨て可能な容器を使用香炉の実施例を示す一部欠断面図である。
【符号の説明】
【００８】１  香炉本体
２  発熱体
３  アルミカップ等の使い捨て可能な容器
４  お茶等の芳香材
【図１】
0003150579.tif 000003
【手続補正書】
【提出日】平成20年12月3日(2008.12.3)
【手続補正１】
【補正対象書類名】実用新案登録請求の範囲
【補正対象項目名】全文
【補正方法】変更
【補正の内容】
【実用新案登録請求の範囲】
【請求項１】
香炉本体の発熱体又は熱発散体の上面を、香材入れとする使い捨て容器を装着する場とすることを特徴とする香炉。
【手続補正書】
【提出日】平成21年2月20日(2009.2.20)
【手続補正１】
【補正対象書類名】実用新案登録請求の範囲
【補正対象項目名】全文
【補正方法】変更
【補正の内容】
【実用新案登録請求の範囲】
【請求項１】
香炉本体と、発熱体又は発熱散体と、芳香剤を入れるための使い捨て可能な容器からなり、前記発熱体又は発熱散体の上面に、前記容器を装着したことを特徴とする香炉。
(57)【要約】      （修正有）【課題】噴射力を維持しつつ、噴射音を極力小さくして騒音の問題を解決し、また、ノズルの手振れを解消するエアーダスター用ノズルを提供する。【解決手段】握り部に接続するエアーダスター用ノズルにおいて、噴出パイプ１の先端にノズル２を接続し、噴出パイプ１の他端に、握り部と接続する接続金具６を取付け、ノズル２の中で、噴出パイプ１の噴出口３を先へ移動するように、噴出パイプ１に延長パイプ４を接続し、延長パイプ４の先端から噴出される空気と、ノズル２の後部に設けた空気孔５から流入してくる外気とが延長パイプ４の先端で合流するように、延長パイプ４の先端を位置付けて設けた。【選択図】図１
0003150544.tif 000002
【実用新案登録請求の範囲】
【請求項１】
握り部に接続するノズルにおいて、噴出パイプの先端にノズルを接続し、噴出パイプの他端に、握り部と接続する接続金具を取付け、前記ノズルの中で、噴出パイプの噴出口を先へ移動するように、噴出パイプに延長パイプを接続し、延長パイプの先端から噴出される空気と、前記ノズルの後部に設けた空気孔から流入してくる外気とが延長パイプの先端で合流するように、延長パイプの先端を位置付けて設けたことを特徴とするエアーダスター用ノズル。
【請求項２】
請求項１記載のうち、噴出パイプ１の先に延長パイプ４を連接するように、噴出パイプと延長パイプを一体に形成したエアーダスター用ノズル。
【請求項３】
請求項１記載の噴出パイプを短くし、ノズルと噴出パイプの他端に設けた接続金具とを直接接続したエアーダスター用ノズル。
【請求項４】
請求項１記載のノズルの側面に適当に空気孔を設けたエアーダスター用ノズル。
【考案の詳細な説明】
【技術分野】
【０００１】
本考案は、エアーダスター用ノズルに関するものである。
【背景技術】
【０００２】
従来のエアーダスター用ノズルは、図３で示すように、ノズルの後部に空気孔を設けているだけであった。  
【考案の概要】
【考案が解決しようとする課題】
【０００３】
従来のエアーダスター用ノズルについては、ノズルの後部に空気孔を設けると、コンプレッサーから送り込まれてきた空気は、スムースに噴射されるが、噴射される時の音は、空気孔がない場合と何ら変わらず、作業音としては、空気を切る音が相当高くて、びっくりする程やかましく、作業員や周りの者から嫌がられていた。その騒音の程度は、作業員どうしの会話がまったくできない程の騒音であった。そこで、噴射力を維持しつつ、噴射音を極力小さくして騒音の問題を解決しょうとするものである。また、作業中のノズルの手振れを解消するものでもある。
【課題を解決するための手段】
【０００４】
本考案は、握り部に接続するノズルにおいて、噴出パイプの先端にノズルを接続し、ノズルの中で、噴出パイプの噴出口を先へ移動するように、噴出パイプに延長パイプを接続し、延長パイプの先端から噴出される空気と、ノズルの後部に設けた空気孔から流入してくる外気とが延長パイプの先端で合流するように、延長パイプの先端を位置付けて設けることによって、問題点を解決している。  
【考案の効果】
【０００５】
本考案のエアーダスター用ノズルによると、ノズルから噴出される時の噴出音が静かである。もちろん、ノズルから噴出する噴出力は、従来のものと変わることなく、同じである。したがって、作業場での騒音による精神的ストレスが相当解消され、作業がし易く、他の作業員の迷惑にもならず、作業環境も良くなった。また、深夜作業での騒音による近隣からの苦情が少なくなった。
また、ノズルの手振れも解消し、能率が上がることになった。そして、女性の方でも楽に作業ができるようになった。さらに、構造が簡単で、従来品とその価格は変わらず製作でき、安価で供給できるものである。
【図面の簡単な説明】
【０００６】
【図１】本考案の一実施例の正面図である。
【図２】本考案を握り部に接続した状態の接続部分の正面図ある。
【図３】ノズルの従来例の正面図である。
【考案を実施するための形態】
【０００７】
本考案は、噴出パイプの先端にノズルを接続し、ノズルの中で、噴出パイプの噴出口を先へ移動するように、噴出パイプの先に延長パイプを連接するように噴出パイプと延長パイプを一体に形成して、延長パイプの先端から噴出される空気と、ノズルの後部に設けた空気孔から流入してくる外気とが延長パイプの先端で合流するように、延長パイプの先端を位置付けて設け、噴出パイプの他端には、握り部と接続する接続金具を取付ける。
【実施例１】
【０００８】
図１は、本考案の一実施例であって、噴出パイプ１の先端にノズル２を接続し、ノズル２の中で、噴出パイプ１の噴出口３を先へ移動するように、噴出パイプ１に延長パイプ４を接続し、延長パイプ４の先端から噴出される空気と、ノズル２の後部に設けた空気孔５から流入してくる外気とが延長パイプ４の先端で合流するように、延長パイプ４の先を位置付けて設ける。噴出パイプ１の他端には、握り部１２（図２で示す）と接続する接続金具６を取付ける。
【０００９】
図２は、図１の実施例の本考案を握り部１２に接続した状態図である。
握り部１２には、コンプレッサーに接続したホースを接続するホース挿入口１０と噴出パイプ１を接続する噴出パイプ接続口１１を設け、握り部１２には押しボタン１３が付いている。噴出パイプ１は、接続金具６で、噴出パイプ接続口１１に接続する。
【００１０】
本考案を使用するときは、握り部１２を握り、押しボタン１３を指で押すとノズル２から空気が噴出してくる。そして、対象物のごみやほこり、水分等を吹き飛ばすことができる。
【実施例２】
【００１１】
本考案の他の実施例として、実施例１で記載の噴出パイプ１の先に延長パイプ４を連接するように噴出パイプと延長パイプを一体に形成しても良い。また、別の実施例としては、噴出パイプ１を短くしても良く、さらにノズル２と握り部１２とを直接、接続金具６で接続しても良い。また、ノズル２の側面（図１では正面）に適当に空気孔を設けても良い。
【符号の説明】
【００１２】
１・・・・噴出パイプ
２・・・・ノズル
３・・・・噴出口
４・・・・延長パイプ
５・・・・空気孔
６・・・・接続金具
１２・・・握り部
【図１】
0003150544.tif 000003
【図２】
0003150544.tif 000004
【図３】
0003150544.tif 000005
(57)【要約】      （修正有）【課題】ヘッドに左右されない安定したストロークを可能にするパタークラブを提供する。【解決手段】パターヘッド３のヒール６寄りから重心方向へほぼ４５度の角度で形成されたネック４を取り付け、バックよりフェース側が重い重量配分でパターヘッドの重心はトップラインに内に位置し、かつパタークラブ全体の重心位置でクラブを支えたとき、ヘッドのトゥ５を上、ヒール６が下になるようにゴルフ用パタークラブを構成する。【選択図】図４
0003156401.tif 000002
【実用新案登録請求の範囲】
【請求項１】
パターヘッドのヒール寄りから重心方向へほぼ４５度の角度で形成されたネックを取り付け、バックよりフェース側が重い重量配分でパターヘッドの重心はトップラインに内に位置し、かつパタークラブ全体の重心位置でクラブを支えたとき、ヘッドのトゥを上、ヒールが下になるようにバランス設計したことを特徴とするゴルフ用パタークラブ。
【考案の詳細な説明】
【技術分野】
【０００１】
本考案は、主としてパッティンググリーン上で使用されるためにデザインされたゴルフ用パタークラブに関する。
【背景技術】
【０００２】
パタークラブは、ヘッドに直接またはネックを介して装着されたシャフト、シャフトの後方に固定されたグリップからなり、プレーヤーによって握られるようにデザインされている。
【０００３】
パターヘッドには、装着されたシャフトを軸として左右に回転させようとする作用と、パタークラブをアドレスしたとき、トゥからヒールを縦として上下に動く力が働く。この上下左右の力が大きくなるほど、回転しようとする作用は大きくなる。
【０００４】
プレーヤーはグリップしてパッティングする際には、その作用を抑えようとする意図した力が働き、安定したストロークがしずらくなる。
【０００５】
また、その作用を抑える目的の概念として、ヘッド後方へ重量をもたせ重心深度を深くするほどストロークしやすいとされるタイプが主流となっているが、重心深度が深いパターはその分だけ引きやすく押し出す性質があるが、ひとたび方向がブレてしまうと修正しようとする操作性が難しくなり真っ直ぐに打ち出しずらくなる傾向がある。
【特許文献１】特許公開２００７−２１６０６１
【考案の概要】
【考案が解決しようとする課題】
【０００６】
本考案は、パターヘッドがシャフトおよびグリップへ作用する力を少なくし、真っ直ぐ引いて真っ直ぐ打ち出すという理想のパッティングストロークを、安定してスムーズに行うことができるゴルフ用パタークラブを提供する。
【考案の開示】
【課題を解決するための手段】
【０００７】
本考案は、上述の問題を解消するために考案されたもので、ヘッドのトゥ側へかかる重みを少なくして上下の動きを抑え、パタークラブ全体を水平にシャフトの支点で支えたとき、ヘッドのトゥが上、ヒールが下になる状態で安定し、左右への回転を最小限に抑えるように設定したことを特徴とする。
【考案の効果】
【０００８】
本考案は、パターの概念や主流とされるタイプとは全く異なり、新しい概念のパターを提供することができる。 
【０００９】
本考案のゴルフ用パタークラブは、アドレスした状態からストロークにかけてパターヘッドにかかる回転がないため、フェース面をスクエアな状態で保つことが容易になり、スムーズに安定したパッティングを行うことができる。
【考案を実施するための形態】
【００１０】
パターヘッドが、ヘッドに装着されたシャフト、シャフト後部に固定されたグリップへ与える作用をなくす目的を、パターヘッドのヒール寄りから重心方向へほぼ４５度の角度を有するネックを取り付けることでトゥ側へかかる重みを解消し、且つ、フェース寄りを重くした重量配分により打球フェース面とは逆の方向へ傾こうとする動きを解消することで実現した。
【実施例】
【００１１】
パターヘッドの上下の動きをなくすということは、パタークラブのソールを地面と水平に置き、シャフトの支点を２本の指で垂直に持ち上げたとき、トゥとヒールのバランスが地面と平行に保つということである。パターヘッド上部のヒール寄りにほぼ９０度の角度を有する一般的なパタークラブは、トゥ側に重みがかかり斜めになるのに対し、パターヘッド上部のヒール寄りにほぼ４５度の角度を有する本考案のパタークラブは、トゥ側にかかる重みが少なく平行に持ち上げやすくなる。このことから、ネックはほぼ４５度の角度で取り付けることが理想となる。
【００１２】
且つ、打球フェース面とは逆方向への回転を抑えるために、ヘッドのトゥが上、ヒールが下になる状態で安定するようにパターヘッドのフェース寄りを後方より重くさせ、重心をトップライン内に位置するように設計したことで実現した。
【図面の簡単な説明】
【００１３】
【図１】本考案の一実施例のパタークラブをフェースから見た図である。
【図２】図１に示したパタークラブ全体を水平に支点で支えたとき、シャフト側から見たヘッドの様子を示す図である。
【図３】図１に示したパタークラブ全体を水平に支点で支えたとき、ヘッドのソールから見た様子の図である。
【図４】図１に示したパタークラブのソールを地面と水平に置き、シャフトの支点を２本の指で垂直に持ち上げたときの様子をフェースから見た正面図である。
【図５】パターヘッド上部のヒール寄りにほぼ９０度の角度を有するパタークラブのソールを地面と水平に置き、シャフトの支点を２本の指で垂直に持ち上げたときの様子をフェースから見た正面図である。
【符号の説明】
【００１４】
１    パタークラブ  
２    シャフト
３    ヘッド
４    ネック
５    トゥ
６    ヒール
７    ソール
８    フェース
９    ヘッド後方
１０  凹み
Ｔ    トップライン
Ｇ    重心
Ｈ    地面
【図１】
0003156401.tif 000003
【図２】
0003156401.tif 000004
【図３】
0003156401.tif 000005
【図４】
0003156401.tif 000006
【図５】
0003156401.tif 000007